(57)【要約】【課題】障子の高さ調整しても、作用する外力バランスが崩れにくい戸車等を提供する。【解決手段】ローラーを回動自在に支持する内フレームと、障子に固定される外フレームと、外フレームに対し内フレームを上下方向に移動可能な移動機構と、を有し、内側対向部に設けられ外フレームを支持しつつ外側対向部に設けられた外ガイド部に案内される内係合部と、外側対向部に設けられ内フレームに支持されつつ内側対向部に設けられた内ガイド部に案内される外係合部とが、見付け方向において回動軸を挟んで両側に配置され、上下方向における内フレームの移動範囲の上部側に内フレームが位置し内係合部と回動軸との見付け方向における距離が外係合部と回動軸との見付け方向における距離より短い状態にて障子が枠体に組み込まれた後に、移動機構により前記内フレームを下方に移動させると、外係合部と回動軸との距離が短くなる方向に前記内フレームが移動される。【選択図】図６
2014084666.tif 000002
【特許請求の範囲】
【請求項１】
枠体が有するレール上を回動しつつ、前記レールに沿って移動する障子を支持するローラーを備えた戸車であって、
前記障子の見込み方向にて対向し前記ローラーの回動軸が掛け渡されて当該ローラーを回動自在に支持する一対の内側対向部を有する内フレームと、
前記一対の内側対向部の、見込み方向における外側にそれぞれ位置して前記内側対向部と対面する一対の外側対向部を有し、前記障子に固定される外フレームと、
前記外フレームに対し前記内フレームを上下方向に移動可能な移動機構と、
を有し、
前記内側対向部に設けられ前記外フレームを支持しつつ前記外側対向部に設けられた外ガイド部に案内される内係合部と、前記外側対向部に設けられ前記内フレームに支持されつつ前記内側対向部に設けられた内ガイド部に案内される外係合部とが、見付け方向において前記回動軸を挟んで両側に配置され、
上下方向における前記内フレームの移動範囲の上部側に前記内フレームが位置し前記内係合部と前記回動軸との見付け方向における距離が前記外係合部と前記回動軸との見付け方向における距離より短い状態にて前記障子が前記枠体に組み込まれた後に、
前記移動機構により前記内フレームを下方に移動させると、前記外係合部と前記回動軸との距離が短くなる方向に前記内フレームが移動されることを特徴とする戸車。
【請求項２】
請求項１に記載の戸車であって、
前記障子に取り付けられた状態で、前記内フレームが前記移動範囲の上端に位置し、前記外フレームにより前記内フレームの上方への移動が規制されていることを特徴とする戸車。
【請求項３】
請求項１または請求項２に記載の戸車であって、
前記内フレームは、前記内係合部と前記回動軸との見付け方向における距離と前記外係合部と前記回動軸との見付け方向における距離とが等しくなるように移動されることを特徴とする戸車。
【請求項４】
請求項１乃至請求項３のいずれかに記載の戸車を備えた前記障子と、
前記障子が組み込まれる前記枠体と、
を有することを特徴とする建具。
【発明の詳細な説明】
【技術分野】
【０００１】
本発明は、障子に設けられる戸車及び戸車が設けられた障子を有する建具に関する。
【背景技術】
【０００２】
障子に設けられる戸車及び戸車が設けられた障子を有する建具としては、枠体に組み込まれ当該枠体が有するレール上を回動しつつ当該レールに沿って移動する障子を支持するローラーを備えた戸車及びこの戸車が設けられた障子を有する建具が知られている。障子は、例えば、けんどん方式などにより枠体に容易に組み込める一方で、組み込んだ障子を適切な姿勢にすべく建付調整が必要である。このため、障子の下框に嵌着固定される外枠と、ローラーを回転自在に支持し、外枠に嵌め外し可能な内枠と、外枠に装着され内枠の嵌め込み高さを調整して障子の建付調整を行うためのローラー高さ調整手段とを備えた戸車も知られている（例えば、特許文献１参照）。
【０００３】
そして、ローラー高さ調整手段は、外枠は上板と左右の両側板とを有する断面コ字状の枠体であり、両側板の略中央部と前部の各内壁面に、それぞれ対向して設けられ前方に下傾斜する案内突起が、内枠が有する両側板の下傾斜の傾斜端面に支持され、内枠が外枠の案内突起に案内されて移動することによりローラーの高さが調整されるように構成されている。
【先行技術文献】
【特許文献】
【０００４】
【特許文献１】特許第３０８８６２０号公報
【発明の概要】
【発明が解決しようとする課題】
【０００５】
上記のような戸車には、レール上に配置されたローラーとレールとの係合位置に障子の荷重による反力が作用し、案内突起と傾斜端面との係合位置にて障子の荷重が作用する。上記の戸車は、ローラーの高さを調整する際に、内枠が見付け方向に移動する。このため、内枠におけるローラーの位置は不変でも、案内突起との係合位置が変化するため、ローラーの高さを調整することにより戸車に作用する外力のバランスが極端に崩れ、一方の案内突起と傾斜端面に大きな力が作用すると、不安定になったり、内枠や外枠が変形してローラーが回動しにくくなるおそれがあるという課題がある。
【０００６】
本発明は、かかる課題に鑑みてなされたものであり、その目的とするところは、ローラーの移動により高さ調整をしても、戸車に作用する外力のバランスが崩れにくい戸車及びこの戸車が設けられた障子を有する建具を提供することにある。
【課題を解決するための手段】
【０００７】
かかる目的を達成するために本発明の戸車は、枠体が有するレール上を回動しつつ、前記レールに沿って移動する障子を支持するローラーを備えた戸車であって、
前記障子の見込み方向にて対向し前記ローラーの回動軸が掛け渡されて当該ローラーを回動自在に支持する一対の内側対向部を有する内フレームと、
前記一対の内側対向部の、見込み方向における外側にそれぞれ位置して前記内側対向部と対面する一対の外側対向部を有し、前記障子に固定される外フレームと、
前記外フレームに対し前記内フレームを上下方向に移動可能な移動機構と、
を有し、
前記内側対向部に設けられ前記外フレームを支持しつつ前記外側対向部に設けられた外ガイド部に案内される内係合部と、前記外側対向部に設けられ前記内フレームに支持されつつ前記内側対向部に設けられた内ガイド部に案内される外係合部とが、見付け方向において前記回動軸を挟んで両側に配置され、
上下方向における前記内フレームの移動範囲の上部側に前記内フレームが位置し前記内係合部と前記回動軸との見付け方向における距離が前記外係合部と前記回動軸との見付け方向における距離より短い状態にて前記障子が前記枠体に組み込まれた後に、
前記移動機構により前記内フレームを下方に移動させると、前記外係合部と前記回動軸との距離が短くなる方向に前記内フレームが移動されることを特徴とする戸車である。
【０００８】
このような戸車によれば、障子の重量は、内係合部と外係合部とからローラーを介してレールに支持されている。このため戸車には、内係合部と外係合部とに障子の重量が下向きに作用し、ローラーの回動軸にはレールに支持されてその反力が上向きに作用している。このため、戸車にてバランス良く障子を支持するためには、内係合部と回動軸との見付け方向における距離と外係合部と回動軸との見付け方向における距離とが等しいことが望ましい。
【０００９】
上記戸車は、見付け方向においてローラーの回動軸を挟んで両側に配置される内係合部と外係合部のうち、外フレームを支持する内係合部は、ローラーの回動軸と同じ内フレームに設けられているので、回動軸と内係合部との見付け方向における距離は不変である。一方、外係合部と回動軸との距離は、内フレームが移動範囲の上部側に位置し内係合部と回動軸との見付け方向における距離より長い状態にて障子が枠体に組み込まれ、内フレームを下方に移動させると、外係合部と回動軸との距離が短くなる方向に内フレームが移動されるので、障子の建付調整などのために内フレームを下方に移動させた後には、内係合部と回動軸との見付け方向における距離と外係合部と回動軸との見付け方向における距離とが等しい状態に近づくので、ローラーの移動により高さ調整をしても、戸車に作用する外力のバランスが崩れにくい戸車を提供することが可能である。
【００１０】
かかる戸車であって、前記障子に取り付けられた状態で、前記内フレームが前記移動範囲の上端に位置し、前記外フレームにより前記内フレームの上方への移動が規制されていることが望ましい。
【００１１】
このような戸車によれば、戸車が障子に取り付けられた状態では、外フレームにより内フレームの上方への移動が規制されているので、内フレームが上部側に位置して内係合部と回動軸との見付け方向における距離が外係合部と回動軸との見付け方向における距離より短い状態であっても、内フレームが外フレームにより上方への移動が規制されることにより、安定した状態を保つことが可能である。このため、ローラーの位置を下方に移動させていない状態でレール上に載置させたとしても、障子を安定させて支持することが可能である。
【００１２】
かかる戸車であって、前記内フレームは、前記内係合部と前記回動軸との見付け方向における距離と前記外係合部と前記回動軸との見付け方向における距離とが等しくなるように移動されることが望ましい。
【００１３】
このような戸車によれば、内フレームは、内係合部と回動軸との見付け方向における距離と外係合部と回動軸との見付け方向における距離とが等しくなるように移動されるので、下フレームが下方に移動された後には、内係合部、外係合部、及び回動軸に作用する外力は、内フレームが上部側に位置するときよりバランス良く作用する。このため、使用状態にて、障子をより安定した状態にて支持することが可能な戸車を提供することが可能である。
【００１４】
また、上記戸車を備えた前記障子と、前記障子が組み込まれる前記枠体と、を有することを特徴とする建具である。
【００１５】
このような建具によれば、障子を枠体に組み込む際には、内フレームが上部側に位置して、障子をレール上に載置しやすく、レール上に載置した障子が有する戸車のローラーが設けられている内フレームを下方に移動させると、戸車に作用する外力のバランスが保たれて障子を安定した状態に支持することが可能である。
【発明の効果】
【００１６】
本発明によれば、ローラーの移動により高さ調整をしても、戸車に作用する外力のバランスが崩れにくい戸車及びこの戸車が設けられた障子を有する建具を提供することが可能である。
【図面の簡単な説明】
【００１７】
【図１】本実施形態に係る建具の内観姿図である。
【図２】本実施形態に係る建具の縦断面図である。
【図３】本実施形態に係る戸車を示す斜視図である。
【図４】戸車の構成を説明するための分解斜視図である。
【図５】図５（ａ）は、障子の左下に設けられた戸車の正面図であり、図５（ｂ）は、図５（ａ）におけるＡ−Ａ断面図であり、図５（ｃ）は、図５（ａ）におけるＢ−Ｂ断面図である。
【図６】移動機構による下フレームの移動と作用する外力について説明するための縦断面図である。
【発明を実施するための形態】
【００１８】
以下、本発明の一実施形態に係る戸車１０及びこの戸車１０を備えた障子３を有する建具１について図面を参照して説明する。
【００１９】
本実施形態の建具１は、図１に示すように室内外を連通する開口を形成する枠体５に組み込まれる引き違い障子３を備えた建具１である。
【００２０】
以下の説明においては、建物等に取り付けられた状態の建具１を室内側から見たときに、上下となる方向を上下方向、左右となる方向を左右方向または見付け方向、室内外方向である奥行き方向を見込み方向として示す。また、建具１が備える各部材は、単体の状態であっても建物等に取り付けられた状態にて上下方向、左右方向、奥行き方向となる方向にて方向を特定して説明する。
【００２１】
枠体５は、上枠６、下枠７、及び左右の縦枠８が矩形状に枠組みされて構成されており、図２に示すように、上枠６には障子３の上框３ａに挿入される上レール６ａ、及び、下枠７には、障子３の下端に設けられている、後述する戸車１０が有するローラー１８が回動自在に載置される下レール７ａが設けられている。
【００２２】
２枚の障子３は、いずれもガラス４を囲むように、上框３ａ、下框３ｂ、及び、左右の縦框３ｃが矩形状に框組みされて構成されている。障子３の下框３ｂには、見付け方向における両端側に配置させて、下レール７ａ上に回動自在に載置されるローラー１８を有する戸車１０が設けられている。
【００２３】
２枚の障子３は、それぞれけんどん方式にて枠体に組み込まれるように構成されている。すなわち、障子３の上框３ａ側を下框３ｂ側より前方位置させて上方に持ち上げつつ、上方に開放された溝状をなす上框３ａ内に上レール６ａを挿入させた後、戸車１０のローラー１８が下レール７ａ上に位置するように障子３をほぼ鉛直にして下方に降ろして障子３を下レール７ａ上に載置する。
【００２４】
本実施形態においては、戸車１０が、ローラー１８の上下方向への移動を可能とする、後述する移動機構２０（図４参照）を備えている。この移動機構２０は、障子の左右の端に設けられた戸車１０にいずれも設けられているので、障子３の左右の高さにて調整する傾き調整等に用いられる。
【００２５】
戸車１０は、図３、図４に示すように、下レール７ａ上を回動しつつ下レール７ａに沿って移動する障子３を支持するローラー１８と、ローラー１８の回動軸をなす回動ピン１９と、ローラー１８が設けられた回動ピン１９を回動自在に支持する内フレーム１２と、障子３の下框３ｂに固定され内側に内フレーム１２が相対移動自在に設けられる外フレーム３０と、外フレーム３０に対し内フレーム１２を上下方向に移動可能な移動機構２０と、を有している。
【００２６】
移動機構２０は、障子３を下レール７ａ上に載置した後に操作してローラー１８の位置を移動しやすいように、障子３の端側に位置するように、戸車１０が障子３に取り付けられる。このため、見付け方向における両端部側に配置される２つの戸車１０は、左右が対称となるように取り付けられる。
【００２７】
内フレーム１２は、見込み方向にて対向しローラー１８の回動ピン１９が掛け渡された一対の内側対向部１３と、一対の内側対向部１３を障子３の端側、すなわち移動機構２０側にて連結する内連結部１４と、が鋼板の曲げ加工により形成されている。内連結部１４は鉛直に対して僅かに傾斜しているが、詳細については後述する。
【００２８】
一対の内側対向部１３は、それぞれほぼ中央に回動ピン１９が嵌合される嵌合孔１３ａが設けられ、内連結部１４と反対側、すなわち障子３の中央側となる縁には、下方に向かって嵌合孔１３ａから離れる方向に広がる傾斜を有する内ガイド部としての傾斜端部１３ｂが設けられている。傾斜端部１３ｂの上端には、傾斜端部１３ｂの傾斜と直交するように張り出した張出部１３ｃが設けられている。また、嵌合孔１３ａを挟んで傾斜端部１３ｂと反対側、すなわち嵌合孔１３ａの内連結部１４側には、外フレーム３０側に突出させて内係合部としての環状突部１５がそれぞれ設けられている。
【００２９】
外フレーム３０は、一対の内側対向部１３の、見込み方向における外側にそれぞれ位置して内側対向部１３と対面する一対の外側対向部３１と、一対の外側対向部３１を上端にて連結する外連結部３３と、を有している。
【００３０】
一対の外側対向部３１には、内側に配置される内フレーム１２の傾斜端部１３ｂに支持され、内側に向かって突設し、傾斜端部１３ｂの傾斜と同じ傾斜を有する外係合部としての傾斜突部３５と、内フレーム１２に設けられた環状突部１５が入り込み傾斜突部３５の傾斜と同じ傾斜を有する外ガイド部としての傾斜切欠部３７と、移動機構２０を構成し後述する移動基板２２を支持する固定ピン２９が嵌合される固定孔３１ａと、がそれぞれ設けられている。
【００３１】
傾斜突部３５は、矩形状をなしており、矩形状の一辺となる縁３５ａを傾斜端部１３ｂが支持しつつ内フレーム１２が、傾斜突部３５及び傾斜端部１３ｂの傾斜に沿ってスライド可能に構成されており、傾斜突部３５の傾斜端部１３ｂと摺接している一辺となる縁３５ａと直交する上側の縁３５ｂが、内フレーム１２の張出部１３ｃに当接されて内フレーム１２の下方への移動が規制されるように構成されている。
【００３２】
また、傾斜切欠部３７は、下方が開放されたほぼ楕円形状をなしており、楕円形の端をなす弧の直径は、内フレーム１２に設けられた環状突部１５の直径より僅かに大きく形成されている。内フレーム１２が外フレーム３０の内側に配置された状態で、傾斜切欠部３７に環状突部１５が入り込み、図５（ａ）に示すように、傾斜切欠部３７の縁３７ａが環状突部１５に支持されて、傾斜切欠部３７の傾斜に沿って内フレーム１２がスライドするように構成されている。
【００３３】
外連結部３３には、障子３の中央側に位置する端側に戸車１０を障子３にビス止めするためのビス固定孔３３ａが設けられ、障子３の端側となる部位には移動基板２２の上端を係止する係止孔３３ｂが設けられている。
【００３４】
移動機構２０は、外フレーム３０の一対の外側対向部３１間に設けられる移動基板２２と、移動基板２２に螺合され移動機構２０の操作部をなす操作ビス２５と、を有している。
【００３５】
移動基板２２は、外フレーム３０の一対の外側対向部３１とそれぞれ対向する一対の側板部２３と、側板部２３の内フレーム１２側に位置する縁を連結し操作ビス２５が螺合される螺合板部２４と、を有している。一対の側板部２３は、固定ピン２９が挿通される挿通孔２３ａと、上端部に設けられ外フレーム３０の外連結部３３に設けられた係止孔３３ｂに係止される係止片２３ｂと、を有している。
【００３６】
螺合板部２４は、見付け方向における障子３の端側からドライバーにより操作される操作ビス２５が螺合されるため、ドライバーが入りやすいように、鉛直に対して僅かに傾斜させて設けられている。そして、螺合板部２４と、外フレーム３０の内側に配置された内フレーム１２の内連結部１４とが対向するように、内連結部１４も鉛直に対して僅かに傾斜させて設けられており、螺合板部２４に螺合された操作ビス２５が締め込まれることにより内連結部１４が、操作ビス２５の進入方向に移動されるように構成されている。このとき、図５（ｂ）に示すように、内フレーム１２は、環状突部１５が外フレーム３０の傾斜切欠部３７の縁３７ａを支持し、図５（ｃ）に示すように、傾斜端部１３ｂが傾斜突部３５の縁３５ａを支持しつつ、傾斜切欠部３７と傾斜端部１３ｂの傾斜に沿って移動するように構成されている。このため、傾斜切欠部３７及び傾斜端部１３ｂの傾斜と螺合板部２４及び内連結部１４の傾斜とは直交するように形成されている。
【００３７】
本実施形態の戸車１０は、操作ビス２５を緩めた状態にて、内フレーム１２の環状突部１５が傾斜切欠部３７の上端３７ｂに当接可能な状態にて、図６の左図に示すように、環状突部１５と回動ピン１９との見付け方向における距離ｘ１が傾斜突部３５と回動ピン１９との見付け方向における距離ｘ２より短い状態にて障子に取り付けられ、内フレーム１２が外フレーム３０の上部側に位置するように障子３が枠体５に組み込まれる。
【００３８】
その後、障子３の高さを調整するために操作ビス２５を締め込むと内フレーム１２の内連結部１４が押圧されて螺合板部２４が取り付けられた外フレーム３０が上昇されることにより、上フレーム３０が取り付けられている障子３の高さが上昇する。このとき、内フレーム１２は、環状突部１５が外フレーム３０の傾斜切欠部３７の縁３７ａを支持しつつ、傾斜端部１３ｂが傾斜突部３５の縁３５ａを支持しつつ、傾斜切欠部３７と傾斜端部１３ｂの傾斜に沿って移動する。すなわち、図６の右図に示すように、環状突部１５と回動ピン１９との見付け方向における距離ｘ１と傾斜突部３５と回動ピン１９との見付け方向における距離ｘ２とが同じになる方向に内フレーム１２が移動する。
【００３９】
障子３の重量は、環状突部１５と傾斜突部３５とからローラー１８を介して下レール７ａに支持されている。このため戸車１０には、環状突部１５と傾斜突部３５とに障子３の重量が下向きに作用し、ローラー１８の回動ピン１９には下レール７ａに支持されてその反力が上向きに作用している。このため、戸車１０にてバランス良く障子３を支持するためには、環状突部１５と回動ピン１９との見付け方向における距離ｘ１と傾斜突部３５と回動ピン１９との見付け方向における距離ｘ２とが等しいことが望ましい。
【００４０】
本実施形態の戸車１０によれば、見付け方向においてローラー１８の回動ピン１９を挟んで両側に配置される環状突部１５と傾斜突部３５のうち、外フレーム３０を支持する環状突部１５は、ローラー１８の回動ピン１９と同じ内フレーム１２に設けられているので、回動ピン１９と環状突部１５との見付け方向における距離ｘ１は不変である。
【００４１】
一方、傾斜突部３５と回動ピン１９との見付け方向における距離ｘ２は、内フレーム１２が移動範囲の上部側に位置し環状突部１５と回動ピン１９との見付け方向における距離ｘ１より長い状態にて障子３が枠体５に組み込まれ、内フレーム１２を下方に移動させると、傾斜突部３５と回動ピン１９との距離ｘ２が短くなる方向に内フレーム１２が移動されるので、戸車１０を下方に移動させた後には、環状突部１５と回動ピン１９との見付け方向における距離ｘ１と傾斜突部３５と回動ピン１９との見付け方向における距離ｘ２とが等しい状態に近づくので、ローラー１８の移動により高さ調整をしても、戸車１０に作用する外力のバランスが崩れにくい戸車１０を提供することが可能である。
【００４２】
また、戸車１０が障子３に取り付けられた状態では、内フレーム１２の環状突部１５が外フレーム３０に設けられた傾斜切欠部３７の上端３７ｂに当接されて内フレーム１２の上方への移動が規制されているので、外フレーム３０及び障子３は、環状突部１５により安定した状態にて支持される。このため、内フレーム１２が上部側に位置して環状突部１５と回動ピン１９との見付け方向における距離ｘ１が傾斜突部３５と回動ピン１９との見付け方向における距離ｘ２より短い状態であっても、障子３を安定した状態に保つことが可能である。このため、ローラー１８の位置を下方に移動させていない状態で下レール７ａ上に載置させたとしても、障子３を安定させて支持することが可能である。
【００４３】
また、内フレーム１２は、環状突部１５と回動ピン１９との見付け方向における距離ｘ１と傾斜突部３５と回動ピン１９との見付け方向における距離ｘ２とが等しくなるように移動されるので、内フレーム１２が下方に移動された後には、環状突部１５、傾斜突部３５、及び回動ピン１９に作用する外力は、内フレーム１２が上部側に位置するときよりバランス良く作用する。このため、使用状態にて、障子３をより安定した状態にて支持することが可能な戸車１０を提供することが可能である。
【００４４】
また、上記戸車１０を備えた障子３を有する建具１によれば、障子３を枠体５に組み込む際には、内フレーム１２が上部側に位置して、障子３を下レール７ａ上に載置しやすく、下レール７ａ上に載置した障子３が有する戸車１０のローラー１８が設けられている内フレーム１２を下方に移動させると、戸車１０に作用する外力のバランスが保たれて障子３を安定した状態に支持することが可能である。
【００４５】
上記実施形態にいては、引き違い障子３を備える建具を例に挙げて説明したが、これに限らず、上記戸車１０を備えた引き戸障子を有する建具であれば構わない。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、３  障子、５  枠体、７ａ  下レール、１０  戸車、１２  内フレーム、
１３  内側対向部、１３ｂ  傾斜端部、１５  環状突部、１８  ローラー、
１９  回動ピン、２０  移動機構、２２  移動基板、２５  操作ビス、
３０  外フレーム、３１  外側対向部、３５  傾斜突部、３７  傾斜切欠部、
ｘ１  回動ピンと環状突部との見付け方向における距離、
ｘ２  傾斜突部と回動ピンとの見付け方向における距離
【図１】
2014084666.tif 000003
【図２】
2014084666.tif 000004
【図３】
2014084666.tif 000005
【図４】
2014084666.tif 000006
【図５】
2014084666.tif 000007
【図６】
2014084666.tif 000008